(57)【要約】【課題】配信者が配信するコンテンツの任意の領域に、任意の他のコンテンツを再生可能とするコンテンツ配信サーバ、コンテンツ配信方法およびコンテンツ配信プログラムを提供すること。【解決手段】コンテンツ配信サーバ１１１は、ライブコンテンツの配信者が使用する配信者端末１２１からネットワークＮＷを介して送信されるライブコンテンツを受信する通信部１１２と、受信したライブコンテンツの中に他のコンテンツを重畳して再生するための領域を指定する指定部１１５と、指定された領域に再生するための他のコンテンツを選択する選択部１１６と、ライブコンテンツの中に選択部１１６で選択された他のコンテンツを指定部１１５で指定された領域に重畳して配信コンテンツを生成する制御部１１３と、を備え、通信部１１２は、視聴者端末１３１にネットワークＮＷを介して配信コンテンツを配信する。【選択図】図１
2019047366.tif 000002
【特許請求の範囲】
【請求項１】
ライブコンテンツの配信者が使用する配信者端末からネットワークを介して送信されるライブコンテンツを受信する通信部と、
受信した前記ライブコンテンツの中に他のコンテンツを重畳して再生するための領域を指定する指定部と、
指定された前記領域に再生するための前記他のコンテンツを選択する選択部と、
前記ライブコンテンツの中に前記選択部で選択された前記他のコンテンツを前記指定部で指定された前記領域に重畳して配信コンテンツを生成する制御部と、
を備え、
前記通信部は、視聴者端末に前記ネットワークを介して前記配信コンテンツを配信するコンテンツ配信サーバ。
【請求項２】
前記指定部は、前記配信者端末からの指示により前記領域を指定する請求項１に記載のコンテンツ配信サーバ。
【請求項３】
前記選択部は、ライブコンテンツの配信時間に応じて前記他のコンテンツを選択する請求項１又は２に記載のコンテンツ配信サーバ。
【請求項４】
前記選択部は、前記配信者端末の指示により前記他のコンテンツを選択する請求項１から３のいずれか一項に記載のコンテンツ配信サーバ。
【請求項５】
前記選択部は、配信先の視聴者端末に応じて前記他のコンテンツを選択する請求項１から４のいずれか一項に記載のコンテンツ配信サーバ。
【請求項６】
前記選択部は、他のコンテンツの出稿者からの指示に基づいて前記他のコンテンツを選択する請求項１から５のいずれか一項に記載のコンテンツ配信サーバ。
【請求項７】
前記他のコンテンツは、画像又は／及び映像であり、
前記領域は空間である請求項１から６のいずれか一項に記載のコンテンツ配信サーバ。
【請求項８】
前記他のコンテンツは、音であり、
前記領域は時間である請求項１から６のいずれか一項に記載のコンテンツ配信サーバ。
【請求項９】
前記指定部は、前記ライブコンテンツ中の画像を認識して、前記領域を指定する請求項７に記載のコンテンツ配信サーバ。
【請求項１０】
前記指定部は、前記ライブコンテンツ中で表示されるＡＲマーカーを認識して、前記領域を指定する請求項７又は９に記載のコンテンツ配信サーバ。
【請求項１１】
前記通信部は、前記他のコンテンツをＣＭコンテンツサーバから受信する請求項１から１０のいずれか一項に記載のコンテンツ配信サーバ。
【請求項１２】
通信部が、ライブコンテンツの配信者が使用する配信者端末からネットワークを介して送信されるライブコンテンツを受信するステップと、
指定部が、受信した前記ライブコンテンツの中に他のコンテンツを重畳して再生するための領域を指定するステップと、
選択部が、指定された前記領域に再生するための前記他のコンテンツを選択するステップと、
制御部が、前記ライブコンテンツの中に前記選択部で選択された前記他のコンテンツを前記指定部で指定された前記領域に重畳して配信コンテンツを生成するステップと、
前記通信部が、視聴者端末に前記ネットワークを介して前記配信コンテンツを配信するステップと、
を備えるコンテンツ配信方法。
【請求項１３】
ライブコンテンツの配信者が使用する配信者端末からネットワークを介して送信されるライブコンテンツを受信するステップと、
受信した前記ライブコンテンツの中に他のコンテンツを重畳して再生するための領域を指定するステップと、
指定された前記領域に再生するための前記他のコンテンツを選択するステップと、
前記ライブコンテンツの中に選択された前記他のコンテンツを指定された前記領域に重畳して配信コンテンツを生成するステップと、
視聴者端末に前記ネットワークを介して前記配信コンテンツを配信するステップと、
をコンピュータによって実現するためのコンテンツ配信プログラム。
【発明の詳細な説明】
【技術分野】
【０００１】
本開示は、ライブコンテンツを視聴可能に配信するコンテンツ配信サーバ、コンテンツ配信方法およびコンテンツ配信プログラムに関する。
【背景技術】
【０００２】
従来から、放送されているコンテンツに広告等の他のコンテンツを重ねて放送する技術が知られている。
【０００３】
例えば、特許文献１に示すように、受信した映像の中に含まれる二次元コードを取得し、二次元コードに基づき、広告を表示する領域を特定し特定された領域に、二次元コードに対応する広告を映像に合成し、合成手段により広告が合成された映像を配信する技術がある。
【０００４】
また、近年、一般ユーザが自宅等で作成した生放送コンテンツを、ネットワークを通じて配信するサービスが一般化している。
【先行技術文献】
【特許文献】
【０００５】
【特許文献１】特開２０１５−２２８５８５号公報
【発明の概要】
【発明が解決しようとする課題】
【０００６】
ここで、ライブコンテンツで配信される映像の空いている領域に、例えば広告等の任意のコンテンツを再生、配信することで、広告収益を上げたいと考える場合がある。
【０００７】
しかし、特許文献１では、ライブコンテンツ配信者が、配信者端末から任意の広告を選択できるシステムとはなっていない。
【０００８】
そのため、本開示では、配信者が配信するコンテンツの任意の領域に、任意の他のコンテンツを再生可能とするコンテンツ配信サーバ、コンテンツ配信方法およびコンテンツ配信プログラムを提供することを目的とする。
【課題を解決するための手段】
【０００９】
上記の課題を解決するために、本開示のコンテンツ配信サーバは、ライブコンテンツの配信者が使用する配信者端末からネットワークを介して送信されるライブコンテンツを受信する通信部と、受信したライブコンテンツの中に他のコンテンツを重畳して再生するための領域を指定する指定部と、指定された領域に再生するための他のコンテンツを選択する選択部と、ライブコンテンツの中に選択部で選択された他のコンテンツを指定部で指定された領域に重畳して配信コンテンツを生成する制御部と、を備え、通信部は、視聴者端末に前記ネットワークを介して配信コンテンツを配信する。
【００１０】
また、本開示のコンテンツ配信方法は、通信部が、ライブコンテンツの配信者が使用する配信者端末からネットワークを介して送信されるライブコンテンツを受信するステップと、指定部が、受信したライブコンテンツの中に他のコンテンツを重畳して再生するための領域を指定するステップと、選択部が、指定された領域に再生するための他のコンテンツを選択するステップと、制御部が、ライブコンテンツの中に選択部で選択された他のコンテンツを指定部で指定された領域に重畳して配信コンテンツを生成するステップと、通信部が、視聴者端末に前記ネットワークを介して配信コンテンツを配信するステップと、を備える。
【００１１】
また、本開示のコンテンツ配信プログラムは、ライブコンテンツの配信者が使用する配信者端末からネットワークを介して送信されるライブコンテンツを受信するステップと、受信したライブコンテンツの中に他のコンテンツを重畳して再生するための領域を指定するステップと、指定された領域に再生するための他のコンテンツを選択するステップと、ライブコンテンツの中に選択された他のコンテンツを指定された領域に重畳して配信コンテンツを生成するステップと、視聴者端末にネットワークを介して配信コンテンツを配信するステップと、をコンピュータによって実現する。
【発明の効果】
【００１２】
上述のコンテンツ配信サーバ、コンテンツ配信方法およびコンテンツ配信プログラムによれば、配信者が配信するコンテンツの任意の領域に、任意の他のコンテンツを再生することができる。
【図面の簡単な説明】
【００１３】
【図１】本開示の実施形態に係るコンテンツ配信システム１の構成を示す概略ブロック図である。
【図２】第１の実施形態に係るライブコンテンツの撮影場所の映像を示す図である。
【図３】第１の実施形態に係るライブコンテンツの配信映像を示す図である。
【図４】第１の実施形態に係るライブコンテンツの配信映像を示す図である。
【図５】第１の実施形態に係るコンテンツ配信システム１の動作について説明するためのフローチャートである。
【図６】第２の実施形態に係るライブコンテンツの撮影場所の映像を示す図である。
【図７】第２の実施形態に係るライブコンテンツの撮影場所の映像を示す図である。
【図８】第２の実施形態に係るライブコンテンツの配信映像を示す図である。
【図９】第２の実施形態に係るコンテンツ配信システム１の動作について説明するためのフローチャートである。
【図１０】第３の実施形態に係るライブコンテンツの撮影場所の映像を示す図である。
【図１１】第３の実施形態に係るライブコンテンツの配信映像を示す図である。
【図１２】第３の実施形態に係るコンテンツ配信システム１の動作について説明するためのフローチャートである。
【図１３】第４の実施形態に係るライブコンテンツのタイムテーブルを示す概念図である。
【図１４】実施形態に係るコンピュータの構成を示す概略ブロック図である。
【発明を実施するための形態】
【００１４】
以下、本実施形態について説明する。なお、以下に説明する本実施形態は、特許請求の範囲に記載された本開示の内容を不当に限定するものではない。また本実施形態で説明される構成の全てが、本開示の必須構成要件であるとは限らない。
【００１５】
（第１の実施形態）
本開示の第１の実施形態である、ライブコンテンツ中に配信者が指定した領域に広告コンテンツを重畳して表示し、配信するコンテンツ配信システム１について説明する。
【００１６】
＜構成＞
まず、図１を用いて本実施形態に係る配信者が配信しようとするライブコンテンツを視聴者に配信するためのコンテンツ配信サーバ１１１を含むコンテンツ配信システム１の構成、及びその概要について説明する。ライブコンテンツとは、配信者が配信しようとする内容を視聴者がリアルタイムに見ることができる動画や音声などの、いわゆる生放送のコンテンツである。
【００１７】
本実施形態のコンテンツ配信システム１は、図１に示すように、コンテンツ配信サーバ１１１と、配信者端末１２１、視聴者端末１３１ａ、１３１ｂ、ＣＭコンテンツサーバ１４１とが、例えばインターネットなどのネットワークＮＷに接続可能に構成されている。
【００１８】
コンテンツ配信サーバ１１１は、配信者端末１２１から送信されるライブコンテンツを、視聴者端末１３１ａ、１３１ｂに配信を行うサーバ装置である。コンテンツ配信サーバ１１１は、通信部１１２と、制御部１１３と、記憶部１１４と、指定部１１５と、選択部１１６と、を備える。
【００１９】
通信部１１２は、ネットワークＮＷを介して配信者端末１２１、視聴者端末１３１ａ、１３１ｂ、ＣＭコンテンツサーバ１４１と通信を行う通信インタフェースである。配信者端末１２１から送信されるライブコンテンツや、ＣＭコンテンツサーバ１４１から送信される重畳コンテンツ(他のコンテンツ)の受信を行う。また、視聴者端末１３１ａ，１３１ｂに対して、後述する制御部１１３で生成する配信コンテンツの配信を行う。また、通信部１１２は、必要に応じて配信者や視聴者が配信者端末１２１や視聴者端末１３１ａ、１３１ｂからコンテンツ配信サーバ１１１へログインを行うためのログインＩＤ情報の送受信を行っても構わない。
【００２０】
制御部１１３は、後述する記憶部１１４や、後述するＣＭコンテンツサーバ１４１に記憶される重畳コンテンツから、配信者が一覧として選択可能とする重畳コンテンツリストを生成する。また、制御部１１３は、ライブコンテンツと重畳コンテンツを重畳した配信コンテンツを生成する。制御部１１３は、配信コンテンツを生成するにあたり、後述する記憶部１１４に記憶される表示領域情報及び割当情報に基づいて重畳コンテンツをライブコンテンツに重畳する。
【００２１】
記憶部１１４は、後述する指定部１１５で指定する重畳コンテンツの表示領域情報を記憶する。また、後述する選択部１１６で選択する重畳コンテンツの割当情報を記憶する。また、コンテンツ配信サーバの運営者や、配信者等が作成した重畳コンテンツを記憶する。また、ＣＭコンテンツサーバ１４１から送信される広告に係る重畳コンテンツを一時的に記憶する。また、制御部１１３が生成した重畳コンテンツリストを記憶する。また、配信可能な重畳コンテンツについての重畳コンテンツリストを記憶する。重畳コンテンツリストは、重畳コンテンツの出稿者の情報や、重畳コンテンツの配信に係る対価情報が含まれている。対価情報とは、例えば「配信されるライブコンテンツの映像内の１０％の領域の領域に３０分表示される場合には５０００円が配信者に支払われる」というような情報である。
【００２２】
指定部１１５は、配信者端末１２１からの操作により、ライブコンテンツに重畳コンテンツを重畳して表示する領域を指定する。指定される領域は、表示領域情報として記憶部１１４に記憶される。領域の指定方法は、映像内の固定された位置に一定面積として指定してもよいし、人の顔をフェイスキャッチし、フェイスキャッチした領域との相対位置と面積を指定してもよいし、コップ等の形状を認識させて、例えばコップの一部分の領域を指定してもよい。指定される領域は、映像中に１箇所でも複数箇所であってもよい。
【００２３】
選択部１１６は、配信者端末１２１からの操作により、重畳コンテンツリストから選択した重畳コンテンツを、指定部１１５で指定される領域に割当てる。指定部１１５は、重畳コンテンツの割当てを、割当情報として記憶部１１４に記憶する。
【００２４】
次に、配信者端末１２１の構成と動作について説明する。配信者端末１２１は、コンテンツの配信者が使用する端末装置であり、スマートフォン、携帯電話、ＰＨＳ、コンピュータ、ゲーム装置、ＰＤＡ、携帯型ゲーム機、腕時計、スマートウォッチ、ヘッドマウントディスプレイ、ウェアラブルディスプレイ、画像生成装置等の情報処理装置である。また、配信者端末１２１は、インターネット（ＷＡＮ）、ＬＡＮなどのネットワークＮＷを介してコンテンツ配信サーバ１１１に接続可能な装置である。なお、配信者端末１２１とコンテンツ配信サーバ１１１間の通信回線は有線でもよいし無線でもよい。配信者は、配信者端末１２１を使用して生放送であるライブコンテンツを作成する。配信者端末１２１は、作成されたライブコンテンツを、リアルタイムにコンテンツ配信サーバ１１１へ送信する。
【００２５】
次に、視聴者端末１３１ａ、１３１ｂの構成と動作について説明する。視聴者端末１３１ａ，１３１ｂは、視聴者が使用する端末装置であり、スマートフォン、携帯電話、ＰＨＳ、コンピュータ、ゲーム装置、ＰＤＡ、携帯型ゲーム機、腕時計、スマートウォッチ、ヘッドマウントディスプレイ、ウェアラブルディスプレイ、画像生成装置等の情報処理装置である。また、視聴者端末１３１ａ、１３１ｂは、インターネット（ＷＡＮ）、ＬＡＮなどのネットワークＮＷを介してコンテンツ配信サーバ１１１に接続可能な装置である。なお、視聴者端末１３１ａ、１３１ｂとコンテンツ配信サーバ１１１間の通信回線は有線でもよいし無線でもよい。
【００２６】
配信者端末１２１や、視聴者端末１３１ａ、１３１ｂは、インストールされた専用のアプリケーションソフトウェアによってコンテンツ配信サーバ１１１にアクセスしてもよい。また、コンテンツ配信サーバ１１１や、別途サーバが提供する動作環境（ＡＰＩ（アプリケーションプログラミングインタフェース）、プラットフォーム等）を利用して、コンテンツ配信サーバ１１１にアクセスしてもよい。
【００２７】
ＣＭコンテンツサーバ１４１は、広告依頼者がＣＭコンテンツサーバ１４１にアップロードする重畳コンテンツを記憶する。また、ＣＭコンテンツサーバ１４１は、コンテンツ配信サーバ１１１へ送信を行うサーバ装置である。ＣＭコンテンツサーバ１４１は、例えば企業の広告等の複数のＣＭコンテンツを記憶している。配信者は、配信者端末１２１からＣＭコンテンツサーバ内１４１のどのコンテンツを重畳コンテンツとして使用するかを重畳コンテンツリストから選択することができる。配信者が、ＣＭコンテンツサーバ１４１内の重畳コンテンツをＣＭコンテンツとして使用する時間や、表示領域の大きさに応じて、コンテンツ提供者からの対価の支払いを受けるようにしてもよい。
【００２８】
＜コンテンツ映像＞
本開示の第１の実施形態に係る配信者端末１２１から送信されるライブコンテンツの撮影場所の映像、及びコンテンツ配信サーバ１１１から配信される配信コンテンツの映像について図２から図４を用いて説明する。
【００２９】
図２は、ライブコンテンツの撮影場所の映像を示す図である。撮影場所とは、配信者の家の部屋やリビング等である。部屋２０１には、家具２０２、ドア２０３、机２０４がある。図２は、机の上におかれているコンピュータ等の配信者端末１２１に設置されたウェブカメラで、部屋の中を撮影した映像を示している。配信者は、配信者端末１２１に向かって座っている。また、机の上にコップ２０５が置かれている。
【００３０】
配信者は、配信者端末１２１でウェブカメラの映像を見ながら、映像中のＣＭコンテンツを配置する領域を指定することができる。指定領域Ａ２４１は、机の上の空きスペースが指定されている。指定領域Ｂ２４２は、コップ２０５の表面が指定されている。コップ２０５を、配信者端末１２１からコンテンツ配信サーバ１１１へ登録することで、コップ２０５は形状認識される。そのため、コップ２０５が移動した場合、コップ２０５の表面の指定領域Ｂ２４２もコップ２０５とともに映像中を移動する。次に、指定領域Ｃ２４３は、配信者が来ているＴシャツの部分である。指定領域Ｃは、配信者の顔２３１の位置との相対関係で指定される領域である。コンテンツ配信サーバ１１１は、配信者の顔２３１をフェイスキャッチにより認識する。配信者は、配信者端末１２１から、フェイスキャッチされた顔２３１中心から下方の３００ｍｍの位置に幅２５０ｍｍ、高さ１００ｍｍの領域を、指定領域Ｃとして指定する。指定領域Ｃは、顔２３１の中心との相対位置がゼロ、すなわち、顔２３１を領域として指定しても構わない。コンテンツ配信サーバ１１１の指定部１１５は、指定領域Ａ２４１、指定領域Ｂ２４２、指定領域Ｃ２４３を、表示領域情報として記憶部１１４に記憶する。
【００３１】
図３は、配信コンテンツの映像を示す図である。配信コンテンツは、コンテンツ配信サーバ１１１から、視聴者端末１３１ａ、１３１ｂに配信される映像であり、配信者端末１２１にも確認用映像として表示される。配信者は、配信者端末１２１で、コンテンツ配信サーバ１１１から送信される重畳コンテンツリストの中から希望するコンテンツを選択することで重畳コンテンツとして決定する。図３では、指定領域Ａ２４１に重畳コンテンツである「有限会社ＤＥＦ」の文字が表示される。指定領域Ｂ２４２に重畳コンテンツである「ＧＨＩ」の文字が表示される。また、指定領域Ｃ２４３に重畳コンテンツである「株式会社ＡＢＣ」の文字が表示される。配信者は、配信者端末１２１から、各指定領域に、どの重畳コンテンツを割当てるかを決定することができる。コンテンツ配信サーバ１１１の選択部１１６は、各指定領域に、どの重畳コンテンツが割当てられているかを割当情報として記憶部１１４に記憶する。制御部１１３は、表示領域情報と割当情報に基づいて、ライブコンテンツと重畳コンテンツを重畳して配信コンテンツを生成する。
【００３２】
図４は、図３から配信者とコップ２０５の位置が移動した、配信コンテンツの映像を示す図である。指定領域Ｂ２４２は、コップ２０５が形状認識されてその表面に文字「ＧＨＩ」を表示している。そのため、コップ２０５の位置が移動した場合、表示される文字「ＧＨＩ」もコップ２０５とともに移動する。また、指定領域２４３は、配信者の顔２３１との相対位置で決まっている。そのため、配信者が移動した場合、文字「株式会社ＡＢＣ」は配信者とともに移動する。また、指定部１１５は、コップ２０５を形状認識しているため、コップ２０５が回転した場合、文字の表示位置を回転させてもよい。指定部１１５は、形状認識により持ち手の位置を認識し、持ち手の位置と表示位置との関係を演算して表示位置を変更しても構わない。同様にして、指定部１１５が、Ｔシャツを形状認識し、Ｔシャツ表面のしわに合わせて表示する文字や図形を変形させても構わない。これにより、コップ２０５やＴシャツに、あたかもその重畳コンテンツが実際にプリントされているよう視聴者に表示することができる。
【００３３】
＜処理の流れ＞
次に、本開示の第１の実施形態に係るコンテンツ配信システム１の動作について、図５に示すフローチャートを参照しながら説明する。図５のフローチャートは、コンテンツ配信サーバ１１１と、配信者端末１２１と、視聴者端末１３１ａの各動作の関連状態を示している。
【００３４】
ステップＳ１０１において、配信者は撮影場所の撮影を行う。さらに配信者は、配信者端末１２１からコンテンツ配信サーバ１１１へ、配信者端末１２１で撮影する撮影場所の映像を送信する。
【００３５】
ステップＳ１０２において、配信者は配信者端末１２１からコンテンツ配信サーバ１１１へ配信可能な重畳コンテンツのリクエスト信号を送信する。
【００３６】
ステップＳ１０３において、コンテンツ配信サーバ１１１は、ステップＳ１０２で送信されたリクエスト信号に基づいて、配信者端末１２１へ配信可能な重畳コンテンツリストを送信する。重畳コンテンツリストは、記憶部１１４が記憶しているものでも、ＣＭコンテンツサーバ１４１が記憶しているものがコンテンツ配信サーバを介して送信されるものでも構わない。
【００３７】
ステップＳ１０４において、配信者は、配信者端末１２１で、ステップＳ１０３で送信された重畳コンテンツリストから、配信を希望する重畳コンテンツを選択する。
【００３８】
ステップＳ１０５において、配信者は、配信者端末１２１で、重畳コンテンツの表示領域を指定する（図２に対応)。配信者端末１２１は、指定された表示領域をコンテンツ配信サーバ１１１に送信する。指定部１１５は、送信された表示領域を表示領域情報として記憶部１１４に記憶する。
【００３９】
ステップＳ１０６において、配信者は、配信者端末１２１で、ステップＳ１０５で指定した領域に、ステップＳ１０４で選択した重畳コンテンツの割当てを行う。割当てられた重畳コンテンツの情報は、コンテンツ配信サーバ１１１に送信される。
【００４０】
ステップＳ１０７において、記憶部１１４は、ステップＳ１０５で送信された表示領域情報を記憶する。また、記憶部１１４は、ステップＳ１０６で送信された割当情報を記憶する。
【００４１】
ステップＳ１０８において、配信者は、配信者端末１２１でライブコンテンツを撮影する。配信者端末１２１は、撮影されたライブコンテンツをコンテンツ配信サーバ１１１に送信する。
【００４２】
ステップＳ１０９において、制御部１１３は、ステップＳ１０８で送信されたライブコンテンツに、記憶部１１４に記憶された表示領域情報と割当情報に従い、重畳コンテンツを重畳した配信コンテンツを生成する（図３、図４に対応）。
【００４３】
指定部１１５は、表示領域情報に基づきライブコンテンツの映像中に重畳コンテンツを表示する領域を決定する。例えば、指定部１１５は、コップ２０５の表面に指定領域Ｂ２４２が対応するという表示領域情報に基づいて指定領域Ｂ２４２を決定する。コップ２０５の形状認識によって指定領域Ｂ２４２が決まるため、コップ２０５が移動する場合、指定領域Ｂ２４２はそれに伴って移動する。選択部１１６は、割当情報に基づき重畳コンテンツを各指定領域（指定領域Ａ２４１から指定領域Ｃ２４３）に割当てる。例えば、選択部１１６は、指定領域Ｂ２４２に、重畳コンテンツである文字「ＧＨＩ」を割当てる。そのため、コップ２０５が移動する場合、重畳コンテンツである文字「ＧＨＩ」はそれに伴って移動する(図４に対応)。
【００４４】
ステップＳ１１０において、通信部１１２は、視聴者端末１３１ａに生成した配信コンテンツを配信する。
【００４５】
ステップＳ１１１において、視聴者端末１３１ａは、ステップＳ１１０で配信された配信コンテンツの表示を行う。それによって、視聴者端末１３１ａは、ライブコンテンツに重畳コンテンツが重畳された映像を表示することができる。
【００４６】
＜効果の説明＞
以上のように、本開示の第１の実施形態に係るコンテンツ配信システム１によれば、配信者が配信するライブコンテンツの任意の領域に、任意の重畳コンテンツを重畳して再生することができる。これにより、ライブコンテンツで配信される映像の空き領域を広告として利用することができる。また、広告を表示する対価として広告収入を得てもよい。
【００４７】
なお、重畳コンテンツは、文字情報だけでなく画像や映像情報であっても構わない。
【００４８】
また、各指定領域に表示される重畳コンテンツは、ライブコンテンツの配信時間に応じて切り替えてもよい。例えば、指定領域Ｂ２４２に表示する重畳コンテンツを、配信コンテンツの配信から３０分経過までは「ＧＨＩ」を表示し、３０分経過後に「ＪＫＬ」を表示するように切り替えてもよい。配信者は、切り替える重畳コンテンツと切り替える時間を、配信者端末１２１から予め割当情報として設定することができる。
【００４９】
また、各指定領域に表示される重畳コンテンツは、配信者端末１２１から配信者が操作を行うことにより切り替えてもよい。例えば、指定領域Ｂ２４２に表示する重畳コンテンツを、配信コンテンツの配信開始時は「ＧＨＩ」を表示する。制御部１１３は、配信者端末１２１からの選択指示信号を受信することにより、重畳コンテンツを「ＪＫＬ」を表示するように切り替えてもよい。配信者は、切り替える重畳コンテンツを、配信者端末１２１から予め割当情報として設定することができる。
【００５０】
また、各指定領域に表示される重畳コンテンツは、重畳コンテンツの出稿者からの指示により切り替えてもよい。例えば、重畳コンテンツの出稿者である広告依頼者が、広告依頼者が使用する端末装置（不図示）からの操作により、表示される重畳コンテンツの切り替えを行ってもよい。指定領域Ｂ２４２に表示する重畳コンテンツを、配信コンテンツの配信開始時は「ＧＨＩ」を表示する。制御部１１３は、広告依頼者が使用する端末装置からの選択指示信号を受信することにより、重畳コンテンツを「ＪＫＬ」を表示するように切り替えてもよい。
【００５１】
また、制御部１１３は、重畳コンテンツを切り替える際に、切り替え前の重畳コンテンツをフェードアウトし、切り替え後の重畳コンテンツをフェードインして表示してもよい。また、クロスフェードで切り替えて表示してもよい。また、切り替え前後の重畳コンテンツをモーフィングによって切り替えて表示してもよい。それによって、視聴者が重畳コンテンツの切り替えを不自然に感じないようにすることができる。
【００５２】
また、重畳コンテンツは、端末装置に応じてそれぞれに異なるコンテンツを配信しても構わない。例えば、指定領域Ｂ２４２に表示する重畳コンテンツを、端末装置１３１ａには重畳コンテンツ「ＧＨＩ」を表示し、端末装置１３１ｂには重畳コンテンツ「ＪＫＬ」を表示しても構わない。制御部１１３は、各端末装置のログインＩＤ情報に基づいて視聴者の嗜好を解析することができる。制御部１１３は、視聴者の嗜好に合わせて異なる重畳コンテンツを重畳した配信コンテンツを生成する。通信部１１２は、生成された配信コンテンツを、視聴者端末１３１ａ、１３１ｂそれぞれに送信する。なお、制御部１１３は、ログイン情報を用いず、視聴者端末からのクッキー（ＨＴＴＰ  ｃｏｏｋｉｅ）情報を用いて、視聴者の嗜好を解析してもよい。
【００５３】
また、重畳コンテンツの出稿者が、配信コンテンツを視聴している最中に、自ら作成した重畳コンテンツを表示するようにリクエストを行ってもよい。具体的な手順の一例を説明する。重畳コンテンツの出稿者である広告依頼者が、広告依頼者が使用する端末装置（不図示）からの操作により、現在配信されている配信コンテンツの中に自己の作成した重畳コンテンツを表示するためのリクエスト信号をコンテンツ配信サーバ１１１へ送信する。また、端末装置から、表示を希望する重畳コンテンツをコンテンツ配信サーバ１１１へアップロードする。また、重畳コンテンツを表示したい表示領域を、配信コンテンツの映像の中で選択する。コンテンツ配信サーバ１１１は、リクエスト信号に含まれる広告表示に係る対価の額を判定する。コンテンツ配信サーバ１１１は、対価の額の判定を、コンテンツ配信者が設定する額との比較により行ってもよい。また、同じ表示領域に広告の表示を希望する他者の提示する対価額との比較により行ってもよい。対価の額が条件を満たす場合には、リクエストを受け付ける。それによって、コンテンツ配信サーバ１１１は、広告依頼者が希望したときにリアルタイムに、広告依頼者が作成した重畳コンテンツをそれまでに表示している他の重畳コンテンツと切り替えて表示することができる。
【００５４】
（第２の実施形態）
本開示の第２の実施形態である、撮影現場の背景に他のコンテンツを重畳して表示するコンテンツ配信システム１について説明する。第２の実施形態では、第１の実施形態に係るコンテンツ配信システム１を用いて説明する。
【００５５】
＜ライブコンテンツ映像＞
本開示の第２の実施形態に係る配信者端末１２１から送信されるライブコンテンツの撮影場所の映像、及びコンテンツ配信サーバ１１１から配信される配信コンテンツの映像について図６から図８を用いて説明する。
【００５６】
図６は、ライブコンテンツの撮影場所の映像を示す図である。撮影場所とは、配信者の家の部屋やリビング等である。部屋２０１には、家具２０２、ドア２０３、机２０４がある。また、部屋２０１の床はゴミ２０８、２０９が散乱している状態である。また、図６は、配信者や、配信者がライブコンテンツの配信中に持ち込むものは映っていない状態である。配信者は、配信者端末１２１から、図６の映像をコンテンツ配信サーバ１２１に送信する。
【００５７】
図７は、ライブコンテンツの配信者が居る映像に映っている状態の撮影場所の映像を示す図である。また、配信者がライブコンテンツの配信中に持ち込む、コップ２０５が映っている状態である。
【００５８】
図８は、配信コンテンツの映像を示す図である。配信コンテンツは、コンテンツ配信サーバ１１１から、視聴者端末１３１ａ、１３１ｂに配信される映像であり、配信者端末１２１にも確認用映像として表示される。配信コンテンツは、ライブコンテンツと他のコンテンツを重畳して生成されるコンテンツである。他のコンテンツは、重畳コンテンツや、物や、景色や、模様等の画像や映像からなるコンテンツである。図８では、他のコンテンツとして木や月などの風景の映像が表示されている状態である。
【００５９】
＜処理の流れ＞
次に、本開示の第２の実施形態に係るコンテンツ配信システム１の動作について、図９に示すフローチャートを参照しながら説明する。図９のフローチャートは、コンテンツ配信サーバ１１１と、配信者端末１２１と、視聴者端末１３１ａの各動作の関連状態を示している。
【００６０】
ステップＳ２０１において、配信者は撮影場所の初期状態の撮影を行う。さらに配信者は、配信者端末１２１からコンテンツ配信サーバ１１１へ、配信者端末１２１で撮影する撮影場所の初期状態の映像を送信する。撮影場所の初期状態の映像とは、ライブコンテンツ配信時に映りこむもの、例えば、配信者自身や、コップ等のものが映っていない状態の映像である（図６に対応）。
【００６１】
ステップＳ２０２において、配信者は、配信者端末１２１で、重畳コンテンツの表示領域を指定する（図６の指定領域２４４に対応)。配信者端末１２１は、指定された表示領域を、コンテンツ配信サーバ１１１に送信する。
【００６２】
ステップＳ２０３において、指定部１１５は、送信された表示領域を表示領域情報として記憶部１１４に記憶する。
【００６３】
ステップＳ２０４において、配信者は配信者端末１２１からコンテンツ配信サーバ１１１へ配信可能な重畳コンテンツのリクエスト信号を送信する。
【００６４】
ステップＳ２０５において、コンテンツ配信サーバ１１１は、ステップＳ２０４で送信されたリクエスト信号に基づいて、配信者端末１２１へ配信可能な重畳コンテンツリストを送信する。重畳コンテンツリストは、記憶部１１４が記憶しているものでも、ＣＭコンテンツサーバ１４１が記憶しているものがコンテンツ配信サーバを介して送信されるものでも構わない。
【００６５】
ステップＳ２０６において、配信者は、配信者端末１２１で、ステップＳ１０３で送信された重畳コンテンツリストから、配信を希望する重畳コンテンツを選択する。
【００６６】
ステップＳ２０７において、配信者は、配信者端末１２１で、ステップＳ２０２で指定した領域に、ステップＳ２０６で選択した重畳コンテンツの割当てを行う。割当てられた重畳コンテンツの情報は、コンテンツ配信サーバ１１１に送信される。
【００６７】
ステップＳ２０８において、記憶部１１４は、ステップＳ２０７で送信された割当情報を記憶する。
【００６８】
ステップＳ２０９において、配信者は、配信者端末１２１でライブコンテンツを撮影する。配信者端末１２１は、撮影されたライブコンテンツをコンテンツ配信サーバ１１１に送信する。
【００６９】
ステップＳ２１０において、制御部１１３は、ステップＳ２０１で送信された撮影場所の初期状態の映像と、ライブコンテンツの映像の差分を抽出する。配信者自身や、コップ２０５を、ライブコンテンツの映像から抽出することができる。
【００７０】
ステップＳ２１１において、制御部１１３は、ステップＳ２０９で送信されたライブコンテンツに、記憶部１１４に記憶された表示領域情報と割当情報に従い、重畳コンテンツを重畳した配信コンテンツを生成する（図７に対応）。
【００７１】
指定部１１５は、表示領域情報に基づきライブコンテンツの映像中に重畳コンテンツを表示する領域を決定する。選択部１１６は、割当情報に基づき重畳コンテンツを指定領域に割当てる。図７では、図６で示す指定領域Ｄ２４４に木や月などの、風景の映像が割当てられている。制御部１１３は、その映像にステップＳ２１０で抽出した配信者やコップ２０５を重ねる。それにより、配信者は、風景の映像の前に表示されることになる。
【００７２】
ステップＳ２１２において、通信部１１２は、視聴者端末１３１ａに生成した配信コンテンツを配信する。
【００７３】
ステップＳ２１３において、視聴者端末１３１ａは、ステップＳ１１０で配信された配信コンテンツの表示を行う。それによって、視聴者端末１３１ａは、ライブコンテンツに重畳コンテンツが重畳された映像を表示することができる。
【００７４】
＜効果の説明＞
以上のように、本開示の第２の実施形態に係るコンテンツ配信システム２によれば、配信者が配信するライブコンテンツの背景等の任意の領域に、任意の重畳コンテンツを重畳して再生することができる。撮影場所の背景を、クロマキー等の特殊な環境を準備することなく、背景を任意に変更することが可能となる。これにより、例えばライブコンテンツを配信するための撮影を行う部屋が散らかっている場合に、配信者の背景等に他のコンテンツとして重畳コンテンツの映像を表示することで、散らかっている部屋の様子を隠すことができる。また、背景等の表示する他のコンテンツとして広告等を表示しても構わない。また、広告を表示する対価として広告収入を得てもよい。
【００７５】
また、各指定領域に表示される重畳コンテンツは、ライブコンテンツの配信時間に応じて切り替えてもよい。また、各指定領域に表示される重畳コンテンツは、配信者端末１２１から配信者が操作を行うことにより切り替えてもよい。また、重畳コンテンツは、端末装置に応じてそれぞれに異なるコンテンツを配信しても構わない。
【００７６】
（第３の実施形態）
本開示の第３の実施形態である、ライブコンテンツ中のＡＲマーカーを認識し、他のコンテンツを重畳して再生するコンテンツ配信システム１について説明する。第３の実施形態では、第１の実施形態に係るコンテンツ配信システム１を用いて説明する。
【００７７】
＜コンテンツ映像＞
本開示の第３の実施形態に係る配信者端末１２１から送信されるライブコンテンツの撮影場所の映像、及びコンテンツ配信サーバ１１１から配信される配信コンテンツの映像について図１０、図１１を用いて説明する。
【００７８】
図１０は、ライブコンテンツの撮影場所の映像を示す図である。撮影場所とは、配信者の家の部屋やリビング等である。部屋２０１には、家具２０２、ドア２０３、机２０４がある。机の上にコップ２０５が置かれている。また、部屋２０１の床はゴミ２０８、２０９が散乱している状態である。また、配信者は机の前に座っている状態である。
【００７９】
さらに図１０には、５つのＡＲマーカー（Ａｕｇｍｅｎｔｅｄ  Ｒｅａｌｉｔｙマーカー）が示されている。ＡＲマーカーは、他のコンテンツを表示する位置を指定するための標識となる固有のパターンであり、例えば２次元バーコードで構成される。ＡＲマーカーａ２５１は、机の上面に貼られており、ＡＲマーカーｂ２５２は、コップ２０５の表面に貼られている。また、ＡＲマーカーｃ２５３は配信者が来ているＴシャツの胸部にプリントされている。また、ＡＲマーカーｄ２５４、ＡＲマーカーｅ２５５は、スタンド(不図示)に貼られ、それぞれゴミ２０８、２０９の手前に置かれる。
【００８０】
配信者は、配信者端末１２１でウェブカメラの映像を見ながら、映像中の各ＡＲマーカーに対して、重畳コンテンツを割当てることができる。例えば、図１０において、配信者はＡＲマーカーｃ２５３に、広告用の重畳コンテンツである「株式会社ＡＢＣ」の文字を割当てる。これによって、図１１で示すように、配信映像には、ＡＲマーカーｃ２５３がプリントされたＴシャツに「株式会社ＡＢＣ」を映し出すことができる。また、図１０のＡＲマーカーｄ２５４に、床の色と同じ色の「板」の映像を割当てることができる。また、ＡＲマーカーｅ２５５に「木」の映像コンテンツを割当てることができる。図１１で示すように、配信映像には、ＡＲマーカーｄ２５４の配置された場所には「板」の映像コンテンツを映し出すことができる。また、ＡＲマーカーｅ２５５の配置された場所には「木」の映像コンテンツを映し出すことができる。これによって、配信映像において、部屋２０１内に散乱しているゴミ２０８、２０９を隠すことができる。
【００８１】
＜処理の流れ＞
次に、本開示の第３の実施形態に係るコンテンツ配信システム１の動作について、図１２に示すフローチャートを参照しながら説明する。図１２のフローチャートは、コンテンツ配信サーバ１１１と、配信者端末１２１と、視聴者端末１３１ａの各動作の関連状態を示している。
【００８２】
ステップＳ３０１において、配信者は配信者端末１２１からコンテンツ配信サーバ１１１へ配信可能な重畳コンテンツのリクエスト信号を送信する。
【００８３】
ステップＳ３０２において、コンテンツ配信サーバ１１１は、ステップＳ３０１で送信されたリクエスト信号に基づいて、配信者端末１２１へ配信可能な重畳コンテンツリストを送信する。重畳コンテンツリストは、記憶部１１４が記憶しているものでも、ＣＭコンテンツサーバ１４１が記憶しているものを、コンテンツ配信サーバを介して送信されるものでも構わない。
【００８４】
ステップＳ３０３において、配信者は、配信者端末１２１で、ステップＳ３０２で送信された重畳コンテンツリストから、配信を希望する重畳コンテンツを選択する。
【００８５】
ステップＳ３０４において、配信者は、配信者端末１２１で、各ＡＲマーカーにステップＳ３０３で選択した重畳コンテンツの割当てを行う。各ＡＲマーカーの画像を取込み、取込んだ画像と重畳コンテンツを関連付けて登録する。割当てられた重畳コンテンツの情報は、コンテンツ配信サーバ１１１に送信される。
【００８６】
ステップＳ３０５において、また、記憶部１１４は、ステップＳ３０４で送信された割当情報を記憶する。
【００８７】
ステップＳ３０６において、配信者は、配信者端末１２１でライブコンテンツを撮影する。配信者端末１２１は、撮影されたライブコンテンツをコンテンツ配信サーバ１１１に送信する。
【００８８】
ステップＳ３０７において、指定部１１５は、配信者端末１２１から送信されたライブコンテンツ中に映りこんでいるＡＲマーカーを認識する。指定部１１５は、認識した個々のＡＲマーカーの表示位置を識別し、表示領域情報を生成する。
【００８９】
ステップＳ３０８において、制御部１１３は、ステップＳ３０６で送信されたライブコンテンツに、記憶部１１４に記憶された表示領域情報と割当情報に従い、重畳コンテンツを重畳した配信コンテンツを生成する。
【００９０】
指定部１１５は、表示領域情報に基づきライブコンテンツの映像中に重畳コンテンツを表示する領域を決定する。例えば、指定部１１５は、コップ２０５の表面にＡＲマーカーｂ２５２が貼られているため、選択部１１６は、割当情報に基づき重畳コンテンツを各ＡＲマーカーに割当てる。例えば、選択部１１６は、ＡＲマーカーｂ２５２には、重畳コンテンツである文字「ＧＨＩ」を割当てる。これにより、コップ２０５の表面には文字「ＧＨＩ」が表示される。コップ２０５が移動する場合、ＡＲマーカーｂ２５２も移動するため、ＡＲマーカーｂ２５２に割当てられている重畳コンテンツである文字「ＧＨＩ」もそれに伴って移動する。
【００９１】
ステップＳ３０９において、通信部１１２は、視聴者端末１３１ａに生成した配信コンテンツを配信する。
【００９２】
ステップＳ３１０において、視聴者端末１３１ａは、ステップＳ３１０で配信された配信コンテンツの表示を行う。それによって、視聴者端末１３１ａは、ライブコンテンツに重畳コンテンツが重畳された映像を表示することができる。
【００９３】
＜効果の説明＞
以上のように、本開示の第３の実施形態に係るコンテンツ配信システム１によれば、配信者が配信するライブコンテンツに映されるＡＲマーカーの位置に、任意のコンテンツを重畳して再生することができる。
【００９４】
また、各指定領域に表示される重畳コンテンツは、ライブコンテンツの配信時間に応じて切り替えてもよい。また、各指定領域に表示される重畳コンテンツは、配信者端末１２１から配信者が操作を行うことにより切り替えてもよい。また、重畳コンテンツは、端末装置に応じてそれぞれに異なるコンテンツを配信しても構わない。
【００９５】
（第４の実施形態）
本開示の第４の実施形態である、ライブコンテンツ中に他のコンテンツとしての音を重畳して再生するコンテンツ配信システム１について説明する。第４の実施形態では、第１の実施形態に係るコンテンツ配信システム１を用いて説明する。
【００９６】
図１３は、ライブコンテンツ２６１の配信時間の割当てに係るタイムテーブルを示す概念図である。図１３のタイムテーブルは、紙面の左から右に向かって時間が経過する。図１３に示すライブコンテンツ２６１は４５分間の配信内容であり、コンテンツ配信サーバ１１１は、配信中に３回の音コンテンツを重畳して再生する。
【００９７】
配信者は、配信者端末１２１から音コンテンツを再生する時間を、時間領域として指定することができる。指定された時間領域は、図１３において、音コンテンツは、指定時間Ｄ２７１、指定領域Ｅ２７２、指定時間Ｆ２７３の指定領域において再生される。指定時間Ｄ２７１は、ライブコンテンツ配信時間の７分３０秒から８分３０秒の時間領域である。同様に、指定時間Ｅ２７２は、ライブコンテンツ配信時間の２４分００秒から２５分００秒の時間である。さらに、指定時間Ｆ２７３は、ライブコンテンツ配信時間の３６分００秒から３８分００秒の時間である。指定部１１５は、各指定時間を、時間領域情報（第１の実施形態における表示領域情報に対応）として記憶部１１４に記憶する。
【００９８】
配信者は、時間領域として指定した各指定領域で再生する音コンテンツを、コンテンツリストから選択して割当てることができる。コンテンツ配信サーバ１１１は、配信者端末１２１からのリクエスト信号に応じてコンテンツリストを配信者端末１２１へ送信する。コンテンツリストは、記憶部１１４やＣＭコンテンツサーバ１４１に記憶されている音コンテンツのリストである。音コンテンツは、広告音声や、スタンプ音、チャイム、正解音等である。配信者は、配信者端末１２１で、コンテンツリストから選択した音コンテンツを、時間領域である指定時間に割当てることができる。例えば、図１３において、指定時間Ｆ２７３に、Ｘ社の商品の広告音声を割当てることができる。選択部１１６は、各指定領域に、どのＣＭコンテンツが割当てられているかを割当情報として記憶部１１４に記憶する。
【００９９】
配信者は、配信者端末１２１からコンテンツ配信サーバ１１１へライブコンテンツを送信する。制御部１１３は、時間領域情報と割当情報に基づいて、ライブコンテンツと音コンテンツを重畳して配信コンテンツを生成する。通信部１１２は、視聴者端末１３１ａに生成した配信コンテンツを配信する。
【０１００】
視聴者端末１３１ａは、配信された配信コンテンツの表示を行う。それによって、視聴者端末１３１ａは、ライブコンテンツに音コンテンツが重畳された映像を表示することができる。
【０１０１】
＜効果の説明＞
以上のように、本開示の第４の実施形態に係るコンテンツ配信システム１によれば、配信者が配信するライブコンテンツの任意の領域に、任意の音コンテンツを重畳して再生することができる。
【０１０２】
また、各指定領域に再生される音コンテンツは、配信者端末１２１から配信者が操作を行うことにより切り替えてもよい。配信者は、切り替える音コンテンツを、配信者端末１２１から予め割当情報として設定しておいてもよい。
【０１０３】
また、音コンテンツは、端末装置に応じてそれぞれに異なるコンテンツを配信しても構わない。例えば、指定時間Ｆ２７３で再生する音コンテンツを、端末装置１３１ａにはＸ社の商品の広告音声を割当て、端末装置１３１ｂにはＹ社のサービスの広告音声を割当てることができる。制御部１１３は、各端末装置のログインＩＤ情報に基づいて視聴者の嗜好を解析することができる。制御部１１３は、視聴者の嗜好に合わせて異なる音コンテンツを重畳した配信コンテンツを生成する。通信部１１２は、生成された配信コンテンツを、視聴者端末１３１ａ、１３１ｂそれぞれに送信する。なお、制御部１１３は、ログイン情報を用いず、視聴者端末からのクッキー（ＨＴＴＰ  ｃｏｏｋｉｅ）情報を用いて、視聴者の嗜好を解析してもよい。
【０１０４】
（プログラム）
図１４は、コンピュータ９０１の構成を示す概略ブロック図である。コンピュータ９０１は、ＣＰＵ９０２、主記憶装置９０３、補助記憶装置９０４、インタフェース９０５を備える。
【０１０５】
ここで、本開示の実施形態に係るコンテンツ配信サーバ１１１を構成する各機能を実現するためのプログラムの詳細について説明する。
【０１０６】
コンテンツ配信サーバ１１１は、コンピュータ９０１に実装される。そして、コンテンツ配信サーバ１１１の各構成要素の動作は、プログラムの形式で補助記憶装置９０４に記憶されている。ＣＰＵ９０２は、プログラムを補助記憶装置９０４から読み出して主記憶装置９０３に展開し、当該プログラムに従って上記処理を実行する。また、ＣＰＵ９０２は、プログラムに従って、上述した記憶部に対応する記憶領域を主記憶装置９０３に確保する。
【０１０７】
当該プログラムは、具体的には、コンピュータ９０１に、ライブコンテンツの配信者が使用する配信者端末からネットワークを介して送信されるライブコンテンツを受信するステップと、受信したライブコンテンツの中に他のコンテンツを重畳して再生するための領域を指定するステップと、指定された領域に再生するための他のコンテンツを選択するステップと、ライブコンテンツの中に選択された他のコンテンツを指定された領域に重畳して配信コンテンツを生成するステップと、視聴者端末にネットワークを介して配信コンテンツを配信するステップと、を実現させるためのコンテンツ配信プログラムである。
【０１０８】
なお、補助記憶装置９０４は、一時的でない有形の媒体の一例である。一時的でない有形の媒体の他の例としては、インタフェース９０５を介して接続される磁気ディスク、光磁気ディスク、ＣＤ−ＲＯＭ、ＤＶＤ−ＲＯＭ、半導体メモリ等が挙げられる。また、このプログラムがネットワークを介してコンピュータ９０１に配信される場合、配信を受けたコンピュータ９０１が当該プログラムを主記憶装置９０３に展開し、上記処理を実行しても良い。
【０１０９】
また、当該プログラムは、前述した機能の一部を実現するためのものであっても良い。さらに、当該プログラムは、前述した機能を補助記憶装置９０４に既に記憶されている他のプログラムとの組み合わせで実現するもの、いわゆる差分ファイル（差分プログラム）であっても良い。
【０１１０】
これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【０１１１】
１…コンテンツ配信システム、１１１…コンテンツ配信サーバ、１１２…通信部、１１３…制御部、１１４…記憶部、１１５…指定部、１１６…選択部、１２１…配信者端末、１３１ａ，１３１ｂ…視聴者端末、１４１…ＣＭコンテンツサーバ、２０１…部屋、２０２…家具、２０３…ドア、２０４…机、２０５…コップ、２０８，２０９…ゴミ、２３１…フェイスキャッチ領域、２４１…指定領域Ａ、２４２…指定領域Ｂ、２４３…指定領域Ｃ、２４４…指定領域Ｄ，２５１…ＡＲマーカーａ、２５２…ＡＲマーカーｂ、２５３…ＡＲマーカーｃ、２５４…ＡＲマーカーｄ、２５５…ＡＲマーカーｅ、２６１…ライブコンテンツ、２７１…指定時間Ｄ、２７２…指定時間Ｅ、２７３…指定時間Ｆ、９０１…コンピュータ、９０２…ＣＰＵ、９０３…主記憶装置、９０４…補助記憶装置、９０５…インタフェース
【図１】
2019047366.tif 000003
【図２】
2019047366.tif 000004
【図３】
2019047366.tif 000005
【図４】
2019047366.tif 000006
【図５】
2019047366.tif 000007
【図６】
2019047366.tif 000008
【図７】
2019047366.tif 000009
【図８】
2019047366.tif 000010
【図９】
2019047366.tif 000011
【図１０】
2019047366.tif 000012
【図１１】
2019047366.tif 000013
【図１２】
2019047366.tif 000014
【図１３】
2019047366.tif 000015
【図１４】
2019047366.tif 000016
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
ライブコンテンツの配信者が使用する配信者端末からネットワークを介して送信されるライブコンテンツを受信する通信部と、
受信した前記ライブコンテンツの中に他のコンテンツを重畳して再生するための空間である領域を前記配信者端末からの指示によりライブコンテンツの映像内に指定する指定部と、
指定された前記領域に再生するための前記他のコンテンツを選択する選択部と、
前記ライブコンテンツの中に前記選択部で選択された前記他のコンテンツを前記指定部で指定された前記領域に重畳して配信コンテンツを生成する制御部と、
を備え、
前記通信部は、視聴者端末に前記ネットワークを介して前記配信コンテンツを配信するコンテンツ配信サーバ。
【請求項２】
前記選択部は、ライブコンテンツの配信時間に応じて前記他のコンテンツを選択する請求項１に記載のコンテンツ配信サーバ。
【請求項３】
前記選択部は、前記配信者端末の指示により前記他のコンテンツを選択する請求項１又は２に記載のコンテンツ配信サーバ。
【請求項４】
前記選択部は、配信先の視聴者端末に応じて前記他のコンテンツを選択する請求項１から３のいずれか一項に記載のコンテンツ配信サーバ。
【請求項５】
前記選択部は、他のコンテンツの出稿者からの指示に基づいて前記他のコンテンツを選択する請求項１から４のいずれか一項に記載のコンテンツ配信サーバ。
【請求項６】
前記他のコンテンツは、画像又は／及び映像である請求項１から５のいずれか一項に記載のコンテンツ配信サーバ。
【請求項７】
前記指定部は、前記ライブコンテンツ中の画像を認識して、前記領域を指定する請求項１から６のいずれか一項に記載のコンテンツ配信サーバ。
【請求項８】
前記指定部は、前記ライブコンテンツ中で表示されるＡＲマーカーを認識して、前記領域を指定する１から７のいずれか一項に記載のコンテンツ配信サーバ。
【請求項９】
前記通信部は、前記他のコンテンツをＣＭコンテンツサーバから受信する請求項１から８のいずれか一項に記載のコンテンツ配信サーバ。
【請求項１０】
通信部が、ライブコンテンツの配信者が使用する配信者端末からネットワークを介して送信されるライブコンテンツを受信するステップと、
指定部が、受信した前記ライブコンテンツの中に他のコンテンツを重畳して再生するための空間である領域を前記配信者端末からの指示によりライブコンテンツの映像内に指定するステップと、
選択部が、指定された前記領域に再生するための前記他のコンテンツを選択するステップと、
制御部が、前記ライブコンテンツの中に前記選択部で選択された前記他のコンテンツを前記指定部で指定された前記領域に重畳して配信コンテンツを生成するステップと、
前記通信部が、視聴者端末に前記ネットワークを介して前記配信コンテンツを配信するステップと、
を備えるコンテンツ配信方法。
【請求項１１】
ライブコンテンツの配信者が使用する配信者端末からネットワークを介して送信されるライブコンテンツを受信するステップと、
受信した前記ライブコンテンツの中に他のコンテンツを重畳して再生するための空間である領域を前記配信者端末からの指示によりライブコンテンツの映像内に指定するステップと、
指定された前記領域に再生するための前記他のコンテンツを選択するステップと、
前記ライブコンテンツの中に選択された前記他のコンテンツを指定された前記領域に重畳して配信コンテンツを生成するステップと、
視聴者端末に前記ネットワークを介して前記配信コンテンツを配信するステップと、
をコンピュータによって実現するためのコンテンツ配信プログラム。
【手続補正２】
【補正対象書類名】明細書
【補正対象項目名】０００９
【補正方法】変更
【補正の内容】
【０００９】
上記の課題を解決するために、本開示のコンテンツ配信サーバは、ライブコンテンツの配信者が使用する配信者端末からネットワークを介して送信されるライブコンテンツを受信する通信部と、受信したライブコンテンツの中に他のコンテンツを重畳して再生するための空間である領域を配信者端末からの指示によりライブコンテンツの映像内に指定する指定部と、指定された領域に再生するための他のコンテンツを選択する選択部と、ライブコンテンツの中に選択部で選択された他のコンテンツを指定部で指定された領域に重畳して配信コンテンツを生成する制御部と、を備え、通信部は、視聴者端末に前記ネットワークを介して配信コンテンツを配信する。
【手続補正３】
【補正対象書類名】明細書
【補正対象項目名】００１０
【補正方法】変更
【補正の内容】
【００１０】
また、本開示のコンテンツ配信方法は、通信部が、ライブコンテンツの配信者が使用する配信者端末からネットワークを介して送信されるライブコンテンツを受信するステップと、指定部が、受信したライブコンテンツの中に他のコンテンツを重畳して再生するための空間である領域を配信者端末からの指示によりライブコンテンツの映像内に指定するステップと、選択部が、指定された領域に再生するための他のコンテンツを選択するステップと、制御部が、ライブコンテンツの中に選択部で選択された他のコンテンツを指定部で指定された領域に重畳して配信コンテンツを生成するステップと、通信部が、視聴者端末に前記ネットワークを介して配信コンテンツを配信するステップと、を備える。
【手続補正４】
【補正対象書類名】明細書
【補正対象項目名】００１１
【補正方法】変更
【補正の内容】
【００１１】
また、本開示のコンテンツ配信プログラムは、ライブコンテンツの配信者が使用する配信者端末からネットワークを介して送信されるライブコンテンツを受信するステップと、受信したライブコンテンツの中に他のコンテンツを重畳して再生するための空間である領域を配信者端末からの指示によりライブコンテンツの映像内に指定するステップと、指定された領域に再生するための他のコンテンツを選択するステップと、ライブコンテンツの中に選択された他のコンテンツを指定された領域に重畳して配信コンテンツを生成するステップと、視聴者端末にネットワークを介して配信コンテンツを配信するステップと、をコンピュータによって実現する。